(57)【要約】      （修正有）【課題】  放送と通信の相互補完によりデジタル放送を高品質でかつ経済的に受信する。【解決手段】  放送する番組データを圧縮その他の処理をして放送データを生成し、放送電波送信所から放送電波として送信させるデジタル放送送信装置は、放送データに対する誤り訂正用の冗長データを生成し、マルチキャストする通信データとして通信ネットワークに送信する手段を備える。放送電波を受信して放送データを復調し、さらに番組データを再生するデジタル放送受信装置は、通信ネットワークからマルチキャストされる通信データを受信する通信データ受信手段と、放送データの受信品質を測定し、受信品質が基準値より高ければ通信データ受信手段をオフとして放送データから番組データを再生し、受信品質が基準値以下であれば通信データ受信手段をオンとして放送データと対応する通信データとを同定し、それらを組み合わせて番組データを再生する手段とを備える。【選択図】        図４
2007311893.tif 000002
【特許請求の範囲】
【請求項１】
放送する番組データを圧縮その他の処理をして放送データを生成し、放送電波送信所から放送電波として送信させるデジタル放送送信装置と、
前記放送電波を受信して前記放送データを復調し、さらに前記番組データを再生するデジタル放送受信装置と
を備えたデジタル放送システムにおいて、
前記デジタル放送送信装置は、前記放送データに対する誤り訂正用の冗長データを生成し、マルチキャストする通信データとして通信ネットワークに送信する手段を備え、
前記デジタル放送受信装置は、前記通信ネットワークからマルチキャストされる前記通信データを受信する通信データ受信手段と、前記放送データの受信品質を測定し、受信品質が基準値より高ければ前記通信データ受信手段をオフとして前記放送データから前記番組データを再生し、受信品質が基準値以下であれば前記通信データ受信手段をオンとして前記放送データと対応する前記通信データとを同定し、それらを組み合わせて前記番組データを再生する手段とを備えた
ことを特徴とするデジタル放送システム。
【請求項２】
請求項１に記載のデジタル放送システムにおいて、
前記デジタル放送送信装置は、前記放送データに誤り訂正用の第１の冗長データを含め、前記通信データとして送信する前記冗長データを第２の冗長データとして送信する構成であり、
前記デジタル放送受信装置は、前記放送データの受信品質に応じて、前記第１の冗長データのみで誤り訂正を行うか、前記第１の冗長データと前記第２の冗長データを組み合わせて誤り訂正を行う構成である
ことを特徴とするデジタル放送システム。
【請求項３】
請求項１に記載のデジタル放送システムにおいて、
前記デジタル放送送信装置は、前記放送データに誤り訂正用の第１の冗長データを含め、前記通信データとして送信する前記冗長データを第２の冗長データとして送信する構成であり、
前記デジタル放送受信装置は、前記放送データの受信品質に応じて、前記第１の冗長データで誤り訂正を行うか、前記第１の冗長データと前記第２の冗長データを交換して誤り訂正を行う構成である
ことを特徴とするデジタル放送システム。
【請求項４】
請求項１に記載のデジタル放送システムにおいて、
前記デジタル放送送信装置は、前記放送データに対応する前記通信データの同定に用いるパケット同期用の情報をヘッダとして前記放送データおよび前記通信データに付加する構成であり、
前記デジタル放送受信装置は、前記放送データと前記通信データの各ヘッダのパケット同期用の情報を照合して同定処理を行う構成である
ことを特徴とするデジタル放送システム。
【請求項５】
放送する番組データを圧縮その他の処理をして放送データを生成し、放送電波送信所から放送電波として送信させるデジタル放送送信装置と、
前記放送電波を受信して前記放送データを復調し、さらに前記番組データを再生するデジタル放送受信装置と
を備えたデジタル放送システムのデジタル放送送信装置において、
前記放送データに対する誤り訂正用の冗長データを通信データとして生成する手段と、
前記放送データおよび前記通信データにパケット同期用の情報をヘッダとして付加し、前記放送データを前記放送電波送信所に送信するとともに、前記通信データをマルチキャストデータとして通信ネットワークに送信する手段と
を備えたことを特徴とするデジタル放送送信装置。
【請求項６】
請求項５に記載のデジタル放送送信装置に対応するデジタル放送受信装置において、
前記通信ネットワークからマルチキャストされる前記通信データを受信する通信データ受信手段と、
前記放送データの受信品質を測定し、受信品質が基準値より高ければ前記通信データ受信手段をオフとして前記放送データから前記番組データを再生し、受信品質が基準値以下であれば前記通信データ受信手段をオンとして前記放送データと対応する前記通信データを同定し、それらを組み合わせて前記番組データを再生する制御手段と
を備えたことを特徴とするデジタル放送受信装置。
【請求項７】
請求項６に記載のデジタル放送受信装置において、
前記放送データに誤り訂正用の第１の冗長データを含み、前記通信データとして送信する前記冗長データを第２の冗長データとし、
前記制御手段は、前記放送データの受信品質に応じて、前記第１の冗長データで誤り訂正を行うか、前記第１の冗長データと前記第２の冗長データを組み合わせて誤り訂正を行う構成である
ことを特徴とするデジタル放送受信装置。
【請求項８】
請求項６に記載のデジタル放送受信装置において、
前記放送データに誤り訂正用の第１の冗長データを含み、前記通信データとして送信する前記冗長データを第２の冗長データとし、
前記制御手段は、前記放送データの受信品質に応じて、前記第１の冗長データで誤り訂正を行うか、前記第１の冗長データと前記第２の冗長データを交換して誤り訂正を行う構成である
ことを特徴とするデジタル放送受信装置。
【請求項９】
放送する番組データを圧縮その他の処理をして放送データを生成し、放送電波送信所から放送電波として送信させるデジタル放送送信装置と、
前記放送電波を受信して前記放送データを復調し、さらに前記番組データを再生するデジタル放送受信装置と
を備え、前記放送データの伝送を行うデジタル放送方法において、
前記デジタル放送送信装置は、前記放送データに対する誤り訂正用の冗長データを生成し、マルチキャストする通信データとして通信ネットワークに送信し、
前記デジタル放送受信装置は、前記放送データの受信品質を測定し、受信品質が基準値より高ければ、前記通信ネットワークからマルチキャストされる前記通信データを受信する通信データ受信手段をオフとして前記放送データから前記番組データを再生し、受信品質が基準値以下であれば前記通信データ受信手段をオンとして前記放送データと対応する前記通信データを同定し、それらを組み合わせて前記番組データを再生する
ことを特徴とするデジタル放送方法。
【請求項１０】
放送する番組データを圧縮その他の処理をして放送データを生成し、放送電波送信所から放送電波として送信させるデジタル放送送信装置と、
前記放送電波を受信して前記放送データを復調し、さらに前記番組データを再生するデジタル放送受信装置と
を備えたデジタル放送システムのデジタル放送送信方法において、
前記放送データに対する誤り訂正用の冗長データを通信データとして生成し、
前記放送データおよび前記通信データにパケット同期用の情報をヘッダとして付加し、前記放送データを前記放送電波送信所に送信するとともに、前記通信データをマルチキャストデータとして通信ネットワークに送信する
ことを特徴とするデジタル放送送信方法。
【請求項１１】
請求項１０のデジタル放送送信方法に対応するデジタル放送受信方法において、
前記放送データの受信品質を測定し、受信品質が基準値より高ければ、前記通信ネットワークからマルチキャストされる前記通信データを受信する通信データ受信手段をオフとして前記放送データから前記番組データを再生し、受信品質が基準値以下であれば前記通信データ受信手段をオンとして前記放送データと対応する前記通信データを同定し、それらを組み合わせて前記番組データを再生する
ことを特徴とするデジタル放送受信方法。
【請求項１２】
請求項１１に記載のデジタル放送受信方法において、
前記放送データに誤り訂正用の第１の冗長データを含み、前記通信データとして送信する前記冗長データを第２の冗長データとし、前記放送データの受信品質に応じて、前記第１の冗長データで誤り訂正を行うか、前記第１の冗長データと前記第２の冗長データを組み合わせて誤り訂正を行う
ことを特徴とするデジタル放送受信方法。
【請求項１３】
請求項１１に記載のデジタル放送受信方法において、
前記放送データに誤り訂正用の第１の冗長データを含み、前記通信データとして送信する前記冗長データを第２の冗長データとし、前記放送データの受信品質に応じて、前記第１の冗長データで誤り訂正を行うか、前記第１の冗長データと前記第２の冗長データを交換して誤り訂正を行う
ことを特徴とするデジタル放送受信方法。
【発明の詳細な説明】
【技術分野】
【０００１】
本発明は、携帯型または据え置き型の受信端末で各種デジタル放送を受信するためのデジタル放送システム、デジタル放送送信装置、デジタル放送受信装置および各方法に関する。ここで、デジタル放送とは、地上デジタル放送、ＢＳデジタル放送、ＣＳデジタル放送等をいう。
【背景技術】
【０００２】
従来の携帯型の受信端末がデジタル放送を受信する場合、受信端末に付属したアンテナで放送電波を受信することになるが、建物内や地下街など放送電波が弱い場所では番組データを正しく受信できず、画像が乱れたり音声が途切れたりする問題があった。この問題に対処する方法の一つとして、放送電波が届きにくい場所に放送電波を再送信する装置を設置するなどの対策が考えられている。ところで、放送電波は一つの送信所で広い地域をカバーできるため、多数の視聴者に向けて経済的に番組データを伝送することが可能であるが、このような放送電波の再送信装置を設置するなどの対策をとると多額の費用がかかり、放送のもつ経済性が失われる問題があった。
【０００３】
そこで、放送電波が弱く受信困難な場合において、経済的に放送データを伝送する方法として、建物内や地下街などで利用可能な通信システム（携帯電話、無線ＬＡＮ等）を活用する方法が提案されている（非特許文献１）。これは、ソフトウェア無線技術を用いて放送と通信の変復調装置を構成し、状況に応じて使い分けるものである。すなわち、デジタル放送の受信電波の強さやビット誤り率などにより受信品質を測定し、放送電波の受信品質が所定の判定基準より高い場合には放送電波を受信し、放送電波が弱くなって受信品質が判定基準を下回ったときは通信機能で受信するように切り替える構成である。
【非特許文献１】居相直彦  他, 「ソフトウェア無線技術による放送および通信メディア変復調装置」, 電子情報通信学会技術研究報告MoMuC2004-47,Vol.104,No.278,pp.7-12,2004年９月
【発明の開示】
【発明が解決しようとする課題】
【０００４】
受信端末におけるデジタル放送受信品質に応じて放送電波の受信と通信機能による受信を切り替える従来方式は、その状況の発生を予測できないので、デジタル放送と同じ番組データを通信システムでＩＰマルチキャストなどを利用して常時伝送しておく必要がある。しかし、デジタル放送の番組データは映像や音声を含むため、容量が大きく多くの伝送帯域を必要とする。
【０００５】
さらに、複数の放送チャンネルを提供しているエリアでは、これら複数の番組データを同時に通信システムで伝送することになる。例えば、１つの放送チャンネルで１Ｍbps の番組データを伝送する場合、８チャンネルの番組データの伝送に要する帯域は８Ｍbps となり、通信ネットワークの多くの伝送帯域を占有することになって他の通信利用を圧迫する要因になる。特に、無線ＬＡＮなどの無線を利用した通信システムは、有線の通信システムより一般に伝送帯域が小さく、番組データの伝送による影響が大きなものとなる。
【０００６】
本発明は、放送と通信の相互補完によりデジタル放送を高品質でかつ経済的に受信することができるデジタル放送システム、デジタル放送送信装置、デジタル放送受信装置、デジタル放送方法、デジタル放送送信方法およびデジタル放送受信方法を提供することを目的とする。
【課題を解決するための手段】
【０００７】
第１の発明は、放送する番組データを圧縮その他の処理をして放送データを生成し、放送電波送信所から放送電波として送信させるデジタル放送送信装置と、放送電波を受信して放送データを復調し、さらに番組データを再生するデジタル放送受信装置とを備えたデジタル放送システムにおいて、デジタル放送送信装置は、放送データに対する誤り訂正用の冗長データを生成し、マルチキャストする通信データとして通信ネットワークに送信する手段を備え、デジタル放送受信装置は、通信ネットワークからマルチキャストされる通信データを受信する通信データ受信手段と、放送データの受信品質を測定し、受信品質が基準値より高ければ通信データ受信手段をオフとして放送データから番組データを再生し、受信品質が基準値以下であれば通信データ受信手段をオンとして放送データと対応する通信データとを同定し、それらを組み合わせて番組データを再生する手段とを備える。
【０００８】
ここで、デジタル放送送信装置は、放送データに誤り訂正用の第１の冗長データを含め、通信データとして送信する冗長データを第２の冗長データとして送信する構成であり、デジタル放送受信装置は、放送データの受信品質に応じて、第１の冗長データのみで誤り訂正を行うか、第１の冗長データと第２の冗長データを組み合わせて誤り訂正を行う構成としてもよい。
【０００９】
また、デジタル放送送信装置は、放送データに誤り訂正用の第１の冗長データを含め、通信データとして送信する冗長データを第２の冗長データとして送信する構成であり、デジタル放送受信装置は、放送データの受信品質に応じて、第１の冗長データで誤り訂正を行うか、第１の冗長データと第２の冗長データを交換して誤り訂正を行う構成としてもよい。
【００１０】
また、デジタル放送送信装置は、放送データに対応する通信データの同定に用いるパケット同期用の情報をヘッダとして放送データおよび通信データに付加する構成であり、デジタル放送受信装置は、放送データと通信データの各ヘッダのパケット同期用の情報を照合して同定処理を行う構成としてもよい。
【００１１】
第２の発明は、放送する番組データを圧縮その他の処理をして放送データを生成し、放送電波送信所から放送電波として送信させるデジタル放送送信装置と、放送電波を受信して放送データを復調し、さらに番組データを再生するデジタル放送受信装置とを備えたデジタル放送システムのデジタル放送送信装置において、放送データに対する誤り訂正用の冗長データを通信データとして生成する手段と、放送データおよび通信データにパケット同期用の情報をヘッダとして付加し、放送データを放送電波送信所に送信するとともに、通信データをマルチキャストデータとして通信ネットワークに送信する手段とを備える。
【００１２】
第３の発明は、第２の発明のデジタル放送送信装置に対応するデジタル放送受信装置において、通信ネットワークからマルチキャストされる通信データを受信する通信データ受信手段と、放送データの受信品質を測定し、受信品質が基準値より高ければ通信データ受信手段をオフとして放送データから番組データを再生し、受信品質が基準値以下であれば通信データ受信手段をオンとして放送データと対応する通信データを同定し、それらを組み合わせて番組データを再生する制御手段とを備える。
【００１３】
ここで、放送データに誤り訂正用の第１の冗長データを含み、通信データとして送信する冗長データを第２の冗長データとし、制御手段は、放送データの受信品質に応じて、第１の冗長データで誤り訂正を行うか、第１の冗長データと第２の冗長データを組み合わせて誤り訂正を行う構成としてもよい。
【００１４】
また、放送データに誤り訂正用の第１の冗長データを含み、通信データとして送信する冗長データを第２の冗長データとし、制御手段は、放送データの受信品質に応じて、第１の冗長データで誤り訂正を行うか、第１の冗長データと第２の冗長データを交換して誤り訂正を行う構成としてもよい。
【００１５】
第４の発明は、放送する番組データを圧縮その他の処理をして放送データを生成し、放送電波送信所から放送電波として送信させるデジタル放送送信装置と、放送電波を受信して放送データを復調し、さらに番組データを再生するデジタル放送受信装置とを備え、放送データの伝送を行うデジタル放送方法において、デジタル放送送信装置は、放送データに対する誤り訂正用の冗長データを生成し、マルチキャストする通信データとして通信ネットワークに送信し、デジタル放送受信装置は、放送データの受信品質を測定し、受信品質が基準値より高ければ、通信ネットワークからマルチキャストされる通信データを受信する通信データ受信手段をオフとして放送データから番組データを再生し、受信品質が基準値以下であれば通信データ受信手段をオンとして放送データと対応する通信データを同定し、それらを組み合わせて番組データを再生する。
【００１６】
第５の発明は、放送する番組データを圧縮その他の処理をして放送データを生成し、放送電波送信所から放送電波として送信させるデジタル放送送信装置と、放送電波を受信して放送データを復調し、さらに番組データを再生するデジタル放送受信装置とを備えたデジタル放送システムのデジタル放送送信方法において、放送データに対する誤り訂正用の冗長データを通信データとして生成し、放送データおよび通信データにパケット同期用の情報をヘッダとして付加し、放送データを放送電波送信所に送信するとともに、通信データをマルチキャストデータとして通信ネットワークに送信する。
【００１７】
第６の発明は、第５の発明のデジタル放送送信方法に対応するデジタル放送受信方法において、放送データの受信品質を測定し、受信品質が基準値より高ければ、通信ネットワークからマルチキャストされる通信データを受信する通信データ受信手段をオフとして放送データから番組データを再生し、受信品質が基準値以下であれば通信データ受信手段をオンとして放送データと対応する通信データを同定し、それらを組み合わせて番組データを再生する。
【００１８】
ここで、放送データに誤り訂正用の第１の冗長データを含み、通信データとして送信する冗長データを第２の冗長データとし、放送データの受信品質に応じて、第１の冗長データで誤り訂正を行うか、第１の冗長データと第２の冗長データを組み合わせて誤り訂正を行うようにしてもよい。
【００１９】
また、放送データに誤り訂正用の第１の冗長データを含み、通信データとして送信する冗長データを第２の冗長データとし、放送データの受信品質に応じて、第１の冗長データで誤り訂正を行うか、第１の冗長データと第２の冗長データを交換して誤り訂正を行うようにしてもよい。
【発明の効果】
【００２０】
本発明は、放送データの誤り訂正用の冗長データだけを通信データとして通信システムを介して伝送し、放送電波が弱く放送データだけでは番組データを正しく再生できない場合に、放送データと通信データを組み合わせることにより番組データを正しく再生することができる。一方、放送電波が強い場合には放送データだけで番組データの再生が可能であり、通信データを受信する必要はないのでその受信手段を停止し、受信端末の消費電力の低減を図ることができる。なお、通信データとして伝送される冗長データは、放送データに比べて大幅に小さい容量になるので、従来のように放送データと同容量の通信データを伝送する場合に比べて大幅に通信帯域の効率化を図ることができる。
【００２１】
このように、デジタル放送のサービスエリア内であっても、例えば建物内で放送電波が弱くなるような場所では、無線ＬＡＮなどの通信サービスを利用して誤り訂正用の冗長データを取得して番組データの再生を行うことにより、通信帯域の節約しながら良好な再生が可能となり、デジタル放送のサービスエリアの補完を行うことができる。これにより、デジタル放送を高品質でかつ経済的に受信することが可能になる。
【発明を実施するための最良の形態】
【００２２】
図１は、本発明のデジタル放送システムの構成例を示す。図において、放送局１には本発明のデジタル放送送信装置１０があり、放送する映像や音声を含む番組データから放送で伝送する放送データと、通信ネットワークを介して伝送する通信データを生成し、それぞれ放送電波送信所２と通信ネットワーク３に送信する。なお、通信ネットワーク３に送信する通信データは、放送データの受信品質向上のために用いられる誤り訂正用の冗長データであり、従来のように番組データをそのまま通信ネットワーク用の通信データにしたものとは異なる。詳しくは後述する２つの実施形態に分けて説明する。通信ネットワーク３を介して伝送された通信データは無線基地局４から送信される。なお、ここでは無線ＬＡＮなど無線を利用した通信システムを想定しているが、通信ネットワーク３および無線基地局４は他の無線系あるいは有線系のシステムであってもよい。
【００２３】
受信端末５には本発明のデジタル放送受信装置５０があり、放送電波送信所２から送信された放送データと、無線基地局４から送信された通信データ（放送データの誤り訂正用の冗長データ）を受信する。そして、放送電波の受信状態に応じて通信データの受信機能をオンオフし、放送データだけで受信処理する場合と、放送データと通信データと組み合わせて受信処理する場合に分け、誤り訂正能力を調整して番組データの再生処理を行う。
【００２４】
このようなデジタル放送システムでは、通信データとして番組データそのものを送る必要はなく、放送データの誤り訂正用の冗長データを補完的に伝送すればよいので、通信システムの伝送帯域を効率的に利用することができ、デジタル放送を高品質かつ経済的に実現することができる。
【００２５】
なお、受信端末５は携帯型のものに限らず例えば据え置き型テレビとし、放送電波を屋外に設置したアンテナで受信し、通信システムとして通信ケーブル（光ファイバ回線、ＡＤＳＬ回線等）を利用する構成としてもよい。例えば、ＢＳデジタル放送の場合、降雨による放送電波の減衰により伝送エラーが生じることがあるが、冗長データを通信システムを介して伝送して放送データの誤り訂正に用いることにより、番組データを誤りなく再生することができる。また、番組データが音声だけのデジタルラジオ放送にも適用することができる。
【００２６】
（第１の実施形態）
図２は、本発明の第１の実施形態のデジタル放送送信装置の構成例を示す。図３は、本発明の第１の実施形態のデジタル放送送信装置（方法）の処理フローを示す。
【００２７】
図２において、デジタル放送送信装置１０Ａは、エンコーダ１１、誤り訂正符号符号化部１２、放送データ生成部１３Ａ、通信データ生成部１４Ａ、放送データ送信部１５、通信データ送信部１６により構成される。以下、図２および図３を参照してデジタル放送送信装置１０Ａの構成および動作について説明する。
【００２８】
放送する映像や音声を含む番組データはエンコーダ１１に入力され、ＭＰＥＧ−２などの圧縮方式を用いてエンコードされてトランスポートパケットが生成される（Ｓ１）。誤り訂正符号符号化部１２では、このトランスポートパケットに対して伝送中の誤りを訂正するための誤り訂正符号を生成し、冗長データ１および冗長データ２として付加する（Ｓ２）。なお、誤り訂正符号としては例えばリードソロモン符号やターボ符号などを用いることができるが、前半の冗長データ１だけでも誤り訂正が可能であり、かつ冗長データ１と冗長データ２を用いることにより、さらに誤り訂正能力が高い誤り訂正が可能な誤り訂正符号とする。
【００２９】
誤り訂正符号符号化部１２で冗長データ１および冗長データ２が付加されたトランスポートパケットは、２分岐して放送データ生成部１３Ａおよび通信データ生成部１４Ａにそれぞれ入力される。放送データ生成部１３Ａでは、冗長データ２を取り除いたトランスポートパケットと冗長データ１を抽出し、さらにパケット同期用ＩＤを含むヘッダを付加して放送データを生成する（Ｓ３）。一方、通信データ生成部１４Ａでは、冗長データ２を抽出し、さらに放送データ生成部１３Ａと同様のパケット同期用ＩＤを含むヘッダを付加して通信データを生成する（Ｓ４）。このパケット同期用ＩＤは、受信装置において放送データと通信データが同時刻のデータであることを示すものである。したがって、同時刻に放送データ生成部１３Ａおよび通信データ生成部１４Ａに入力されたデータに対して、同じパケット同期用ＩＤを含むヘッダが付加され、入力されるデータごとに異なるパケット同期用ＩＤが付与される。
【００３０】
放送データ生成部１３Ａで生成された放送データは、放送データ送信部１５を介して放送電波送信所２に送信され（Ｓ５）、放送電波送信所２から放送電波として送信される。また、通信データ生成部１４Ａで生成された通信データは通信データ送信部１６に入力され、ＩＰマルチキャストパケットとして通信ネットワーク３に送信される（Ｓ６）。
【００３１】
図４は、本発明の第１の実施形態のデジタル放送受信装置の構成例を示す。図５は、本発明の第１の実施形態のデジタル放送受信装置（方法）の処理フローを示す。
【００３２】
図４において、デジタル放送受信装置５０Ａは、放送データ受信部５１、通信データ受信部５２、データ合成部５３、誤り訂正符号復号化部５４、デコーダ５５により構成される。以下、図４および図５を参照してデジタル放送受信装置５０Ａの構成および動作について説明する。
【００３３】
放送データ受信部５１は、放送電波送信所２から送信されている放送データを含む放送電波を受信し、放送データを復調する処理を行うとともに受信電波の強さやビット誤り率に応じた受信品質を測定する（Ｓ11）。ここで、放送データだけで番組データが再生可能な受信品質の基準値を予め定めておき、測定した受信品質とその基準値を比較する（Ｓ12）。放送データ受信部５１では受信品質を一定周期で測定し、測定値が基準値以下のときは通信データ受信部５２の機能をオンにする制御信号を通信データ受信部５２に送り（Ｓ13）、測定値が基準値よりも高いときは通信データ受信部５２の機能をオフにする制御信号を通信データ受信部５２に送る（Ｓ14）。
【００３４】
受信品質が基準値よりも高く通信データ受信部５２がオフの場合、無線基地局４から送信されている通信データは受信せず、データ合成部５３は放送データ受信部５１から出力される放送データのみを入力し、ヘッダを取り除いたトランスポートパケットと冗長データ１を誤り訂正符号復号化部５４に出力する。誤り訂正符号復号化部５４では、冗長データ１を利用してトランスポートパケットの誤り訂正を行う（Ｓ17) 。この場合、受信品質が高く、放送データの伝送エラーが少ないため、冗長データ１だけで誤り訂正が可能である。復号化されたトランスポートパケットはデコーダ５５に入力され、映像および音声からなる番組データが再生される（Ｓ18）。
【００３５】
一方、受信品質が基準値以下で、通信データ受信部５２がオンの場合、無線基地局４から送信されている通信データを受信し、データ合成部５３に出力する（Ｓ15）。データ合成部５３では、放送データ受信部５１から出力される放送データと、通信データ受信部５２から出力される通信データを入力し、それぞれのヘッダにあるパケット同期用ＩＤを利用して、同時刻のデータを合成する（Ｓ16）。合成されたデータには、トランスポートパケット、冗長データ１および冗長データ２が含まれ、これらが誤り訂正符号復号化部５４に出力される。誤り訂正符号復号化部５４では、冗長データ１および冗長データ２を利用してトランスポートパケットの誤り訂正を行う（Ｓ17) 。この場合、受信品質が低く、放送データの伝送エラーが多いが、冗長データ１および冗長データ２を合わせて誤り訂正を行うので、冗長データ１のみで誤り訂正を行う場合に比べて高い誤り訂正能力を発揮することができる。復号化されたトランスポートパケットはデコーダ５５に入力され、映像および音声からなる番組データが再生される（Ｓ18）。
【００３６】
（第２の実施形態）
図６は、本発明の第２の実施形態のデジタル放送送信装置の構成例を示す。図７は、本発明の第２の実施形態のデジタル放送送信装置（方法）の処理フローを示す。
【００３７】
図６において、デジタル放送送信装置１０Ｂは、エンコーダ１１、誤り訂正符号符号化部１２−１，１２−２、放送データ生成部１３Ｂ、通信データ生成部１４Ｂ、放送データ送信部１５、通信データ送信部１６により構成される。本実施形態では、誤り訂正能力の異なる誤り訂正符号を生成する誤り訂正符号符号化部１２−１，１２−２を用い、誤り訂正能力の高い誤り訂正符号符号化部１２−２で生成される冗長データ２を通信システムを介して伝送することを特徴とする。以下、図６および図７を参照してデジタル放送送信装置１０Ｂの構成および動作について説明する。
【００３８】
放送する映像や音声を含む番組データはエンコーダ１１に入力され、ＭＰＥＧ−２などの圧縮方式を用いてエンコードされてトランスポートパケットが生成される（Ｓ21）。このトランスポートパケットは、２分岐して誤り訂正符号符号化部１２−１，１２−２に入力される。誤り訂正符号符号化部１２−１では、このトランスポートパケットに対して伝送中の誤りを訂正するための第１の誤り訂正符号を生成し、冗長データ１として付加する（Ｓ22）。なお、誤り訂正符号としては例えばリードソロモン符号やターボ符号などを用いることができる。誤り訂正符号符号化部１２−１で冗長データ１が付加されたトランスポートパケットは、放送データ生成部１３Ｂに入力される。放送データ生成部１３Ｂでは、トランスポートパケットと冗長データ１に対してパケット同期用ＩＤを含むヘッダを付加して放送データを生成する（Ｓ23）。
【００３９】
一方、誤り訂正符号符号化部１２−２では、このトランスポートパケットに対して、誤り訂正符号符号化部１２−１よりは誤り訂正能力の高い第２の誤り訂正符号を生成し、冗長データ２として付加する（Ｓ24）。誤り訂正符号符号化部１２−２で冗長データ２が付加されたトランスポートパケットは、通信データ生成部１４Ｂに入力される。通信データ生成部１４Ｂでは、冗長データ２を抽出し、さらに放送データ生成部１３Ｂと同様のパケット同期用ＩＤを含むヘッダを付加して通信データを生成する（Ｓ25）。このパケット同期用ＩＤは、受信装置において放送データと通信データが同時刻のデータであることを示すものである。したがって、同時刻に放送データ生成部１３Ｂおよび通信データ生成部１４Ｂに入力されたデータに対して、同じパケット同期用ＩＤを含むヘッダが付加され、入力されるデータごとに異なるパケット同期用ＩＤが付与される。
【００４０】
放送データ生成部１３Ｂで生成された放送データは、放送データ送信部１５を介して放送電波送信所２に送信され（Ｓ26）、放送電波送信所２から放送電波として送信される。また、通信データ生成部１４Ｂで生成された通信データは通信データ送信部１６に入力され、ＩＰマルチキャストパケットとして通信ネットワーク３に送信される（Ｓ27）。
【００４１】
図８は、本発明の第２の実施形態のデジタル放送受信装置の構成例を示す。図９は、本発明の第２の実施形態のデジタル放送受信装置（方法）の処理フローを示す。
【００４２】
図８において、デジタル放送受信装置５０Ｂは、放送データ受信部５１、通信データ受信部５２、データ切替部５６、誤り訂正符号復号化部５４、デコーダ５５により構成される。以下、図８および図９を参照してデジタル放送受信装置５０Ｂの構成および動作について説明する。
【００４３】
放送データ受信部５１は、放送電波送信所２から送信されている放送データを含む放送電波を受信し、放送データを復調する処理を行うとともに受信電波の強さやビット誤り率に応じた受信品質を測定する（Ｓ31）。ここで、放送データから番組データが再生可能な受信品質の基準値を予め定めておき、測定した受信品質とその基準値を比較する（Ｓ32）。放送データ受信部５１では受信品質を一定周期で測定し、測定値が基準値以下のときは通信データ受信部５２の機能をオンにする制御信号を通信データ受信部５２に送り（Ｓ33）、測定値が基準値よりも高いときは通信データ受信部５２の機能をオフにする制御信号を通信データ受信部５２に送る（Ｓ34）。
【００４４】
受信品質が基準値よりも高く通信データ受信部５２がオフの場合、無線基地局４から送信されている通信データは受信せず、データ切替部５６は放送データ受信部５１から出力される放送データを入力し、ヘッダを取り除いたトランスポートパケットと冗長データ１を誤り訂正符号復号化部５４に出力する。誤り訂正符号復号化部５４では、冗長データ１を利用してトランスポートパケットの誤り訂正を行う（Ｓ37) 。この場合、受信品質が高く、放送データの伝送エラーが少ないため、誤り訂正能力が相対的に低い冗長データ１で誤り訂正が可能である。復号化されたトランスポートパケットはデコーダ５５に入力され、映像および音声からなる番組データが再生される（Ｓ38）。
【００４５】
一方、受信品質が基準値以下で、通信データ受信部５２がオンの場合、無線基地局４から送信されている通信データを受信し、データ切替部５６に出力する（Ｓ35）。データ切替部５６では、放送データ受信部５１から出力される放送データと、通信データ受信部５２から出力される通信データを入力し、それぞれのヘッダにあるパケット同期用ＩＤを利用して、放送データの冗長データ１と同時刻の通信データの冗長データ２を交換する（Ｓ36）。このデータは、トランスポートパケットおよび冗長データ２からなり、これらが誤り訂正符号復号化部５４に出力される。誤り訂正符号復号化部５４では、冗長データ２を利用してトランスポートパケットの誤り訂正を行う（Ｓ37) 。この場合、受信品質が低く、放送データの伝送エラーが多いが、相対的に誤り訂正能力が高い冗長データ２を利用して誤り訂正を行うので、冗長データ１で誤り訂正を行う場合に比べて高い誤り訂正能力を発揮することができる。復号化されたトランスポートパケットはデコーダ部５５に入力され、映像および音声からなる番組データが再生される（Ｓ38）。
【００４６】
なお、本実施形態におけるデジタル放送送信装置の誤り訂正符号符号化部１２−１，１２−２は、誤り訂正能力が同じ誤り訂正符号からなる冗長データ１，２を生成する構成としてもよく、１つの誤り訂正符号符号化部に集約してもよい。その場合でも、放送データの受信品質が基準値以下のときに、放送データの冗長データ１を同時刻の通信データの誤りのない冗長データ２に置き換えることにより、トランスポートパケットの誤り訂正を確実に行うことができる。
【００４７】
また、以上説明した実施形態において、放送データ受信部５１で行われる放送データの受信品質の測定は、以下に示す値を測定し、各測定値のいずれか１つまたは２つ以上を組み合わせて受信品質を求めることができる。
【００４８】
(1) 放送電波の受信強度
(2) 放送データのビット誤り率（ただし、この場合には、受信側に既知のビットパターンを送信側でヘッダに埋め込んでおき、受信側でそのビットパターンの誤り率を求める）
(3) 放送データのパケット誤り率（ただし、この場合には、受信側に既知のパケットを送信側が所定の周期で送信し、受信側でそのパケットの誤り率を求める）
【図面の簡単な説明】
【００４９】
【図１】本発明のデジタル放送システムの構成例を示す図。
【図２】本発明の第１の実施形態のデジタル放送送信装置の構成例を示す図。
【図３】本発明の第１の実施形態のデジタル放送送信装置（方法）の処理フローを示す図。
【図４】本発明の第１の実施形態のデジタル放送受信装置の構成例を示す図。
【図５】本発明の第１の実施形態のデジタル放送受信装置（方法）の処理フローを示す図。
【図６】本発明の第２の実施形態のデジタル放送送信装置の構成例を示す図。
【図７】本発明の第２の実施形態のデジタル放送送信装置（方法）の処理フローを示す図。
【図８】本発明の第２の実施形態のデジタル放送受信装置の構成例を示す図。
【図９】本発明の第２の実施形態のデジタル放送受信装置（方法）の処理フローを示す図。
【符号の説明】
【００５０】
１  放送局
２  放送電波送信所
３  通信ネットワーク
４  無線基地局
５  受信端末
１０，１０Ａ，１０Ｂ  デジタル放送送信装置
１１  エンコーダ
１２  誤り訂正符号符号化部
１３Ａ，１３Ｂ  放送データ生成部
１４Ａ，１４Ｂ  通信データ生成部
１５  放送データ送信部
１６  通信データ送信部
５０，５０Ａ，５０Ｂ  デジタル放送受信装置
５１  放送データ受信部
５２  通信データ受信部
５３  データ合成部
５４  誤り訂正符号復号化部
５５  デコーダ
５６  データ切替部
【図１】
2007311893.tif 000003
【図２】
2007311893.tif 000004
【図３】
2007311893.tif 000005
【図４】
2007311893.tif 000006
【図５】
2007311893.tif 000007
【図６】
2007311893.tif 000008
【図７】
2007311893.tif 000009
【図８】
2007311893.tif 000010
【図９】
2007311893.tif 000011